(57)【要約】【課題】屋外から簡単に全閉できるロール網戸を提供すること。【解決手段】本発明の「ロール網戸の可動框」では、可動框３の屋外側に二つの屋外操作レバー７１，７２が装備されている。障子１６に可動框３を重ねるには、アクセス経路Ｈ１に沿って手を伸ばしてレバー７１を操作すれば可動框３を移動させられる。すなわち屋外からであっても、レバー７１を操作すれば一動作で可動框３を障子１６の枠に対して全閉状態に持って行ける。また、屋外に出たときに屋内からロール網戸２を全閉状態にされロックアウトされてしまうような不都合はなくなる。【選択図】図７
2007270575.tif 000002
【特許請求の範囲】
【請求項１】
互いに平行な一対のレールに沿って一方から他方へと引き出し式の遮蔽幕を張ることができるように、前記両レールの間に架かり、前記両レールに沿ってスライド可能に支持されるべき可動框であって、
前記遮蔽幕の一端が係止されて前記両レール間に延在すべき棒状の本体部材と、
前記本体部材を前記両レールに対して所望の位置で停止させる停止手段と、
前記停止手段を屋内側から操作することができる屋内操作手段と、
を有する可動框において、
前記停止手段を屋外側から操作することができる屋外操作手段をも有することを特徴とする、
可動框。
【請求項２】
前記屋内操作手段は、屋内側から手指の掛かる屋内操作レバーをもつ一方、
前記屋外操作手段は、屋外側から手指の掛かる屋外操作レバーをもっており、
前記屋内操作レバーと前記屋外操作レバーとを連動させる共通の回転軸を有する、
請求項１記載の可動框。
【請求項３】
前記屋外操作手段は、指掛け操作時に前記本体部材の幅から前記一方に突出する第一屋外操作レバーと、指掛け操作時に前記本体部材の幅から前記他方に突出する第二屋外操作レバーとをもち、
前記第一屋外操作レバーと前記第二屋外操作レバーとのうちいずれか一方を操作すれば前記停止手段を操作することができるようになっている、
請求項１〜請求項２のうち何れかに記載された可動框。
【請求項４】
前記一対のレールは、建築物の開口部に設けられるサッシのうち、前記開口部を挟んで互いに対向するものであり、
前記遮蔽幕としてのシート状の網体と、
前記網体を前記開口部の一方付近に巻き取って収容する収容部と、
前記収容部から前記網体を引き出して、前記網体に前記開口部のうち少なくとも一部を覆わせる請求項１〜請求項３のうちいずれかに記載された可動框と、
を有することを特徴とする、
ロール網戸。
【請求項５】
前記一対のレールを有する前記サッシで縁取られており、請求項４記載のロール網戸が設置されていることを特徴とする、
建築物開口部。
【発明の詳細な説明】
【技術分野】
【０００１】
本発明は、ロール網戸やロールカーテン、ロールシャッターなど引き出し式の遮蔽幕を張るための可動框（かまち）ないしスライド框と、その関連技術の技術分野に属する。本発明は特に、ロール網戸およびその可動框と、そのロール網戸を備えた建築物開口部（要するにマンションなど建物の窓部など）とに好適である。
【背景技術】
【０００２】
日本でいうマンションなどの集合住宅ではその窓部にアルミサッシが多用されており、ガラス窓などの障子（しょうじ：窓を仕切る引き戸のこと）を開けた部分には、屋内に風を通しながら蚊など虫の侵入を防ぐために網戸が張られるようになっていることが多い。そして、網戸の中にはロール網戸といって、窓枠の側部に設けられたケース内に巻物のように巻き取られて収容されている網戸の本体部分（「網体」という）を可動框で引き出すタイプのものがある。
【０００３】
この可動框はふつう、網体の先端部を保持している上下に長い棒状の框（かまち：窓枠部材の一種）であり、窓枠の上下に設けられたアルミサッシのレールに沿って左右にスライド可能に保持されている。そして、この可動框は、上下の両末端部からストッパ先端の押し当て部材をそれぞれ上下のレールに押し当てて当接させ、可動範囲のどこであっても停止して網体の先端部を保持できるようになっている。これら上下のストッパは、スプリングなどの弾性力で付勢されて上下のレールに押しつけられており、その摩擦力で可動框は上下のレールに対してその位置を保持するようになっている。
【０００４】
それゆえ、逆に上下のレールに沿って可動框を水平方向にスライドさせようとするときには、その中央付近に設けられた操作部のレバー操作などにより、両ストッパにかかっている付勢力を解除して上下のレールとの間の摩擦力を減らすようになっている。
【０００５】
このような可動框の構成を示す公知資料としては、例えば以下のものがある。
【特許文献１】特開２００６−２４５２号公報
【特許文献２】特開２００６−１６８１５号公報
【発明の開示】
【発明が解決しようとする課題】
【０００６】
しかしながら、前述の両特許文献に開示されているロール網戸の可動框では、操作レバーが屋内側にしか設けられていなかったので、操作者がいったん屋外側に出てしまうと、屋外側から屋内側に手を回さないとレバー操作を行うことができなかった。
【０００７】
それゆえ、操作者が屋外側からロール網戸を閉めようとすれば、一動作で締め切ることはできなかった。すなわち、屋外側にいる操作者は、その可動框の縁に沿って屋内側に手を回してレバー操作しながら、自分の手首が挟まらないよう隙間を残して可動框を慎重にスライドさせなければならなかった。そして、手首を通していた隙間を閉じるには、そのロール網戸ではなく障子を対向側からスライドさせて閉じるしかなかった。
【０００８】
これは注意力がいる操作であるうえに、ロール網戸を操作するだけではなく障子をも操作しなければならなくなるから、操作が一動作では済まず面倒である。特に、たばこ道具一式を持っていたりして片手で塞がっている場合には、いっそう面倒であった。また、障子を全開するためなどにロール網戸を全閉したくても、レバー操作をするために屋外から手を屋内側に入れる隙間を残せないので、屋外側にだけ操作者がいては叶わないことであった。
【０００９】
もちろん、屋内に補助者がいてロール網戸を閉めてくれればこのような苦労はいらないし、障子を全開してロール網戸を全閉することも容易である。しかし、これでは逆に、屋外から屋内に入ろうとしたときに、ロール網戸がぴったりと閉まっていると屋外側からはどうしようもなくなる。すなわち、屋外側にいる操作者からは屋内側に手を入れることができず、屋内側にある操作レバーに手が届かないので、屋内にいるはずの補助者を呼んで屋内から開けてもらうしかなくなる。そして、ロール網戸を開けてくれる補助者が戻ってくるまでは、操作者はこの窓からロックアウトされて屋外側に取り残されたままとなり、自らの不運を嘆くことになりかねない。
【００１０】
そこで本発明は、屋内からの補助なしに屋外から操作するだけでロール網戸などの遮蔽幕を全閉することができる可動框を提供することを解決すべき課題とする。併せて、この可動框を備えて屋外側からの操作だけで全閉が可能なロール網戸や、このようなロール網戸を備えた建築物開口部を提供することをも解決すべき課題とする。
【課題を解決するための手段】
【００１１】
前記課題を解決するために、発明者は以下の手段を発明した。なお、以下の手段に付せられた順序数は、本願出願時に特許請求の範囲に記載された請求項の番号にそれぞれ対応している。
【００１２】
［可動框］
以下の解決手段のうち「可動框」の名称を持つものは、ロール網戸に特に好適ではあるものの、その用途がロール網戸に限定されるものではない。
【００１３】
（第１手段）
本発明の第１手段は、互いに平行な一対のレールに沿って一方から他方へと引き出し式の遮蔽幕を張ることができるように、これら両レールの間に架かり、これら両レールに沿ってスライド可能に支持されるべき可動框である。ただし、両レールや遮蔽幕は、本手段の必須構成要素ではない。
【００１４】
本手段は、前記遮蔽幕の一端が係止されて前記両レール間に延在すべき棒状の本体部材と、この本体部材を前記両レールに対して所望の位置で停止させる停止手段と、この停止手段を屋内側から操作することができる屋内操作手段とを有することを、構成上の前提とする。そして本手段の特徴は、前記停止手段を屋外側から操作することができる屋外操作手段をも有することである。
【００１５】
本手段の可動框は屋外操作手段を備えているから、本手段では停止手段を操作するために屋内側にある屋内操作手段に手を伸ばす必要が無くなる。その結果、ロール網戸などの遮蔽幕を引き出して所望位置で停止させたり逆に動かしたりする操作を、屋内側に手を回すことなく屋外から直接に行うことができる。
【００１６】
したがって本手段によれば、屋内からの補助なしに屋外から操作するだけでロール網戸などの遮蔽幕を全閉することができるという効果がある。また、屋外に出たときには、屋内側から鍵を掛けられたりしない限り、そのままロックアウトされてしまうような不都合はなくなる。
【００１７】
（第２手段）
本発明の第２手段は、前述した第１手段の可動框において、前記屋内操作手段は、屋内側から手指の掛かる屋内操作レバーをもつ一方、前記屋外操作手段は、屋外側から手指の掛かる屋外操作レバーをもっており、この屋内操作レバーとこの屋外操作レバーとを連動させる共通の回転軸を有することを特徴とする。
【００１８】
本手段では、屋外操作手段および屋内操作手段がともにレバーという簡素な操作手段であるばかりではなく、内外の操作レバーが共通の回転軸で連動しているから、その構成はいっそう簡素になる。したがって本手段によれば、その構成がたいへん簡素であるから、その重量とともにその価格をも低減することができるという効果がある。
【００１９】
また、既存のロール網戸の可動框は屋内操作手段に屋内操作レバーを有するものが多いから、その回転軸を延長して屋外操作レバーと共用する構成に改造することにより、本手段の可動框に改修することができる。その結果、極めて少ない部品追加と部品交換とにより、既存の可動框を本手段の可動框に改修することができるので、既存の生産設備を生かして本手段の可動框を製造することができ、製造工場の設備投資を抑制することができるという効果がある。
【００２０】
さらに、改修用の部品キットと適当な工具を用意しておけば、オンサイトで（つまり建築物開口部のサッシ等に付けたままで）既存の可動框を本手段の可動框に改修することさえも可能である。
【００２１】
（第３手段）
本発明の第３手段は、前述した第１手段または第２手段の可動框において、前記屋外操作手段は、指掛け操作時に前記本体部材の幅から前記一方に突出する第一屋外操作レバーと、指掛け操作時に前記本体部材の幅から前記他方に突出する第二屋外操作レバーとをもつことを特徴とする。そして本手段の可動框は、この第一屋外操作レバーとこの第二屋外操作レバーとのうちいずれか一方を操作すれば、前記停止手段を操作することができるようになっていることををも特徴とする。
【００２２】
ここで本手段の作用を説明するために、本手段がロール網戸の可動框である場合を例にとって、作動時には一方に突出する第一屋外操作レバーと他方に突出する第二屋外操作レバーとがあった場合に、どのような不都合が生じかねないかを説明する。すなわち、ロール網戸を収容して網戸を開け切った状態（全開状態）では、可動框は戸先側（網体がある側）の一側面を、ロール状に巻き取られた網体を収容する収容部のカバーに当接させているので、当該カバーにつかえて第一屋外操作レバーを操作することができなくなりかねない。逆に、ロール網戸を展開しきって窓の全体を網戸で覆った状態（全閉状態）では、可動框は戸中央側の一側面（網体のない側）を先ほどとは反対側のサッシ等に当接させているので、今度は第二屋外操作レバーが操作できなくなりかねない。もちろん、ロール網戸の形状と周辺設備の配置とによって、このような不都合が生じる場合もあれば、生じない場合もあり得る。
【００２３】
そこで本手段では、操作時には本体部材の幅から一方に突出する第一屋外操作レバーと他方に突出する第二屋外操作レバーとの両レバーをもちながら、両レバーのうちいずれか一方を操作すれば停止手段を操作することができるようになっている。その結果、ロール網戸などの遮蔽幕が全開状態であっても、あるいは逆に全閉状態であっても、本手段の可動框では停止手段を屋外から操作することができるようになる。また、両レバーを適度な位置に配設しておけば、片手の手指を両レバーに一度に掛けることができるようになり、操作者が非力であっても軽く操作ができるようになるという効果も得られる。
【００２４】
なお、本手段の可動框において、前記第一屋外操作レバーと前記第二屋外操作レバーとのうち一方が前記本体部材の幅に収容されたままであっても、他方は操作可能とすることもできる。すなわち、第３手段の項で例を挙げて説明したように、ロール網戸の可動框の場合に、全開状態や全閉状態である時には両レバーが本体部材の幅から突出することが許されないことがありうる。しかし、このような場合にも、両レバーのうち一方を操作しても他方が本体部材の幅に収まったままで突出しなければ、なんら差し支えなくその機能が発揮される。
【００２５】
［ロール網戸］
（第４手段）
本発明の第４手段は、遮蔽幕としてのシート状の網体（単に網とも称する）と、この網体を建築物の開口部の一方付近に巻き取って収容する収容部と、この収容部からこの網体を引き出してこの網体にこの開口部のうち少なくとも一部を覆わせる可動框とを有するロール網戸である。本手段の特徴は、この可動框が前述の第１手段〜第３手段のうちいずれかであることである。ここで、第１手段に記載された一対のレールは、この建築物の開口部に設けられるサッシのうちこの開口部を挟んで互いに対向するものである。
【００２６】
本手段のロール網戸では、屋外側からの操作だけで全閉が可能であるばかりではなく、その可動框が各手段のうちいずれであるかによって、その手段の可動框に特有の作用効果が本手段でも得られる。
【００２７】
［建築物開口部］
（第５手段）
本発明の第５手段は、一対のレールを有するサッシで縁取られており、ロール網戸が設置されている建築物開口部であり、その特徴はこのロール網戸が前述の第４手段であることである。それゆえ、本手段の建築物開口部によれば、第４手段の項に記載されている作用効果が得られる。
【００２８】
なお、本手段については、「建築物開口部」とせずに、斯様な開口部を備えた「建築物」としても良い。すなわち本手段は、「一対のレールを有するサッシで縁取られた開口部が形成されており、この開口部のうち少なくとも一部を覆うことができるロール網戸を有する建築物」などとしても構わない。
【発明を実施するための最良の形態】
【００２９】
本発明の実施形態については、当業者に実施可能な理解が得られるように、以下の実施例で明確かつ十分に説明する。なお、本発明の出願時点では、この実施例が最良の形態に相当する可能性があるものと、発明者らは考えている。
【実施例１】
【００３０】
（実施例１の概略）
本発明の実施例１としての「建築物開口部」「ロール網戸」およびその「可動框」の外観を、図１（ａ）〜図１（ｂ）に示す。すなわち実施例１は、建築物開口部としての集合住宅（例えば日本でいうマンション）に形成された大窓の開口部０と、開口部０に設置されたロール網戸２およびその可動框３とである。
【００３１】
先ず、本実施例の建築物開口部０は、上下一対のレール１１，１２を有するアルミサッシ１で縁取られており、この開口部０には、その可動框３が屋内側と屋外側とにもつ両操作部６，７に特徴があるロール網戸２が設置されている。一対のレール１１，１２は、建築物の開口部０に設けられたアルミサッシ１の一部であり、開口部０を挟んで互いに対向している。
【００３２】
次に、本実施例のロール網戸２は、遮蔽幕としてのシート状の網体ないし網２１と、網２１を開口部０の戸先側の一方付近にロール状に巻き取って収容する収容部２０と、収容部２０から網２１を引き出す可動框３とを有する。可動框３は、収容部２０から網２１を引き出して、網２１に開口部０のうち少なくとも一部を覆わせる機能を持つ直立した棒状の部材である。
【００３３】
そして、本実施例の可動框３は、互いに平行な上下一対のレール１１，１２に沿って一方（「戸先側」と呼ぶ）から他方（「戸中央側」と呼ぶ）へと引き出し式の網２１を張ることができるように、両レール１１，１２の間に架かり、両レール１１，１２に沿ってスライド可能に支持されている。可動框３の主要な構成要素は、本体部材４、停止手段５、屋内操作手段６および屋外操作手段７であり、本実施例の可動框３が在来型に対して構成上で大きく相違する点は、屋外操作手段７が加わっていることである。なお、本実施例の主なポイントである屋外操作手段７の構成や作用については、本実施例の要部構成の項およびそれ以降で詳しく説明する。
【００３４】
なお、先ほどの図１（ｂ）は、収容部２０から途中まで網２１を引き出した中間状態を示す（屋内側から見た）背面図であるが、同図とは異なって、同図の左方一杯にまで可動框３を移動させたロール網戸２の全開状態と、右方一杯にまで可動框３を移動させた全閉状態とがある。すなわち、可動框３を戸先側に一杯に寄せ、可動框３の一方（網２１を引いている戸先側）の側面を収容部２０のケース側面に当接させた状態では、網２１が全て収容部２０に収容されている。そして、開口部０が網２１によって覆われておらず開放されているので、この状態をロール網戸２の「全開状態」と呼ぶことにする。逆に、可動框３を戸中央側に一杯に寄せ、収容部２０から網２１を一杯に引き出して、できるだけ開口部０を網２１で覆った状態は、ロール網戸２の「全閉状態」と呼ぶことにする。
【００３５】
ここで、本体部材４は、同じく図１（ａ）〜（ｂ）に示すように、また図２（ａ）〜（ｂ）に示すように、網２１の一端が係止されて両レール１１，１２の間に延在する中空棒状の部材である。本体部材４は、適正な高さに屋内操作手段６および屋外操作手段７を保持している中間部材４０と、停止手段５を上下両端に内蔵している上下一対の端部材４１とからなる。また、図７に示すように、本体部材４には虫除けパッキン４２が付設されており、虫除けパッキン４２は、上下方向の全長に渡って、障子（ガラス戸のこと）１６の枠材と可動框３との間に隙間が生じないように封止している。
【００３６】
そして、上下一対の停止手段５は、再び図２（ａ）〜（ｂ）に示すように、それぞれ圧縮バネ５１、ストッパ５２およびシュー５３からなり、本体部材４を一対のレール１１，１２に対して所望の位置で停止させる機能を持つ。すなわち、図２（ａ）に示すように、一端が端部材４１に固定された圧縮バネ５１がその他端で、ストッパ５２の先端を端部材４１から突出させる方向に、ストッパ５２を付勢している。それゆえ、ストッパ５２の先端に保持されているゴム製のシュー５３は、ストッパ５２を介して圧縮バネ５１に付勢され、各レール１１，１２に押し当てられている。この状態では、シュー５３と各レール１１，１２との間に大きな静摩擦力が生じ、可動框３は両レール１１，１２に対して所望の位置に保持されている。
【００３７】
ここで、図２（ｂ）に示すように、屋内操作手段６または屋外操作手段７が操作されると、圧縮バネ５１の付勢力に抗して上下両端のストッパ５２およびシュー５３が本体部材４の内部に引き込まれる。すなわち、両操作手段７，８のうちいずれかが操作されて、回転ピース６２が（同図では反時計回りに）回転すると、その左右にそれぞれ配設された一対のスライドピース６３が上下動し、これに連れて上下一対の連結部品６４および連動棒６５が上下動する。その結果、両停止手段５のストッパ５２およびシュー５３がそれぞれ引き込まれ、各シュー５３はそれぞれが当接していたレール１１，１２から離れる。すると、可動框３と各レール１１，１２との間に生じる摩擦力が小さくなり、ごく軽い力で可動框３を両レール１１，１２に沿ってスライドさせることができるようになって、容易にロール網戸２の開閉が行われる。
【００３８】
なお、このような作用は、屋内操作手段６はあっても屋外操作手段７がない在来型の可動框であってもほぼ同様である。そこで、比較例１として在来型の可動框３Ａの構成を、戸先側から戸中央側に向かって見た側断面図にして図３に示す。比較例１の可動框３Ａには、屋内操作レバー６１Ａをもつ屋内操作手段６Ａはあっても、本実施例とは違って屋外操作手段７がないことと、その屋内操作レバー６１Ａの回転軸６１０Ａがごく短いこととに留意されたい。
【００３９】
（実施例１の要部）
本実施例の特徴は、先ほども言及したとおり、屋内操作手段６だけではなく、停止手段５を屋外側から直接に操作することができるようにする屋外操作手段７をも、可動框３が有することである。
【００４０】
ここで、屋内操作手段６は、再び図１（ａ）に示すように、屋内側から手指の掛かる屋内操作レバー６１をもっている。一方、屋外操作手段７は、図４（ａ）〜（ｂ）および図５に示すように、屋外側から手指の掛かる二つの屋外操作レバー（リトラクタブル・レバー７１およびメイン・レバー７２）をもっている。そして、図６に示すように、可動框３には、屋内操作レバー６１に二つの屋外操作レバー７１，７２を連動させる共通の回転軸８が内蔵されている。リトラクタブル・レバー７１の上腕部７１１とメイン・レバー７２（図５参照）とは、回転軸８を軸にして、屋内操作レバー６１と連れ回りするようになっている（図９参照）。
【００４１】
互いに反対側から見た側断面図ではあるが、本実施例の可動框３の構成を示す図６と、在来の比較例１としての可動框３Ａの構成を示す図３とを比較すると、両者の共通点と相違点とが明瞭になる。すなわち、本実施例に必要な屋内操作レバー６１の回転軸８（図６参照）は、在来の屋内操作レバー６１Ａの回転軸６１０Ａ（図３参照）を延長するだけで製造することができる。
【００４２】
一方、中間部材４０については、同じく図６に示すように、延長された回転軸８を通すことができるように当該部分に貫通孔を設け、さらに図７に示すように、第一屋外操作レバーたるリトラクタブル・レバー７１が突出できるように、側面の一部に切り欠きを形成すればよい。たったこれだけの加工で、既存の比較例１の中間部材４０Ａから本実施例の中間部材４０への改修は済んでしまう。それゆえ、前述のように既存型の屋内操作レバー６１Ａから回転軸８を延長したものに屋内操作レバー６１に付け替え、屋外操作手段７を後付けにすれば、オンサイト（つまりロール網戸２をアルミサッシ１に付けたまま）でも改修作業は可能である。
【００４３】
なお、図６では上下一対をなしている連結部品６４の一部が描かれていないが、その部分については、図３での構成とおおむね同様にそれぞれ連動棒６５に接続されているものと見なされたい。
【００４４】
ここで、再び図６および図７に示すように、屋内操作レバー６１とその回転軸８には、回転軸８に付設された捻りバネ６１１の作用で常に復帰トルクが付勢されている。それゆえ、操作時以外には、屋内操作手段６または屋外操作手段７は自然に元の位置に復帰し、再び停止手段５が作用して可動框３がその位置で両レール１１，１２に対して停止するようになっている。
【００４５】
さて、本実施例の可動框３における屋外操作手段７の構成について説明を続ける。
【００４６】
屋外操作手段７は、図８〜図１０に示すように、二つの屋外操作レバー７１，７２、すなわち第一屋外操作レバーとしてのリトラクタブル・レバー７１と、第二屋外操作レバーとしてのメイン・レバー７２とをもつ。
【００４７】
先ず、リトラクタブル・レバー７１は、図８に示すように、停止手段５によって可動框３が両レール１１，１２に対して停止している状態では、本体部材４の中間部材４０の幅にから手指が掛かる程度に先端部（腕先部７１２）が突出している第一屋外操作レバーである。一方、操作時には、収容部ケース２０などの障害物に当接していない限り、図９に示すように、リトラクタブル・レバー７１の腕先部７１２は、中間部材４０の幅から一方（戸先側）に大きく突出する。
【００４８】
次に、メイン・レバー７２は、停止状態（図８参照）では、やはり中間部材４０の幅に収まっているが、操作時（図９参照）には中間部材４０の幅から他方（戸中央側）にその先端部が突出する第二屋外操作レバーである。
【００４９】
そして、リトラクタブル・レバー７１とメイン・レバー７２とのうちいずれか一方を操作すれば、停止手段５の作用を解除して可動框３を移動させることができるようになっている。もちろん両レバー７１，７２は、片手の手指を同時に掛けられるように配置されているので、そのようにして両レバー７１，７２を共に操作しても、同様に可動框３は移動可能になる。
【００５０】
ところで、図１０に示すように、ロール網戸２の全開状態（網２１を収容部２０に収容し切った状態）では、可動框３の戸先側の側面が収容部ケース２０にほぼピッタリと付いてしまう。この状態では、ふつうの停止時（図８参照）や操作時（図９参照）のように、リトラクタブル・レバー７１の腕先部７１２が可動框３の側面から突出していては不都合である。
【００５１】
そこで、本実施例の可動框３では、リトラクタブル・レバー７１のうち、図９に示すように操作時に可動框３の側面から突出する部分（腕先部７１２）は、上腕部７１１と接続する関節部７１０によって、図１０に示すように折り曲げ可能になっている。それゆえ、ロール網戸２の全開状態で前述のように可動框３の側面が収容部ケース２０に近接していても、リトラクタブル・レバー７１が可動框３の側面から突出して邪魔になるようなことはない。また、屋内操作レバー６１やメイン・レバー７２から操作して可動框３を移動させ、可動框３ごとリトラクタブル・レバー７１を収容部ケース２０にぶつけてしまった場合にも不都合が生じることはない。このような場合には、リトラクタブル・レバー７１は関節部７１０で折れ曲がって可動框３の中に収容されるので、リトラクタブル・レバー７１を通じて回転軸８に過大な衝撃トルクがかからないようになっており、破損は未然に防止されている。
【００５２】
その結果、同じく図１０に示すように、ロール網戸２の全開状態では、二つの屋外操作レバー７１，７２のうちメイン・レバー７２だけの操作で足り、その際にはリトラクタブル・レバー７１は中間部材４０の幅に収まったままになっている。
【００５３】
逆に、このようなロール網戸２の全開状態（図１０参照）から、可動框３を移動させて網２１を引き出そうという際には、屋外側からであってもメイン・レバー７２を操作すればよい。すなわち、図７において障子１６が開いていれば、あるいは障子１６を開けてしまえば、同図中に示すアクセス経路Ｈ２に沿って屋外側の正面から手を伸ばし、メイン・レバー７２を操作することができる。
【００５４】
そして次に、可動框３が収容部ケース２０を離れた中間状態（図８参照）か、あるいは可動框３が障子１６に当たる全閉状態（図７参照）にまで、可動框３を移動させて網２１を引き出した場合を考えてみよう。この場合には、リトラクタブル・レバー７１は、自然に図８に示すような伸展した位置に復帰する。
【００５５】
なぜならば、リトラクタブル・レバー７１の関節部７１０に、腕先部７１２の付勢手段として捻りバネ７１４が付設されているからである。すなわち捻りバネ７１４は、リトラクタブル・レバー７１の上腕部７１１と腕先部７１２とを接続する関節ピン７１３の回りに、腕先部７１２を突出させるように付勢している。
【００５６】
（実施例１の要部詳細）
以上では、実施例１の可動框３の要部について、その構成を概説し、どのように作用するかを説明してきたが、その構成の詳細についてはあまり説明をしてこなかった。そこで本項では、以下に可動框３の要部について、その詳細な構成を説明する。
【００５７】
再び図６〜図１０に示すように、屋内操作レバー６１の基部にある回転軸８は、中間部材４０を貫通している。そして、屋外側にあるリトラクタブル・レバー７１およびメイン・レバー７２の基端部は、回転軸８の先端部に係合してレバー固定ネジ８１により固定されており、回転軸８と一緒に回動するようになっている。ここで、リトラクタブル・レバー７１の上腕部７１１とメイン・レバー７２とは、一体に形成された一つの部材によって構成されている。したがって、屋内操作レバー６１およびその回転軸８と、リトラクタブル・レバー７１の上腕部７１１とメイン・レバー７２とは、一緒に連れ回るようになっている。
【００５８】
また、回転軸８には、前述のように屋内操作レバー６１および両レバー７１，７２が連れ回るようになっているが、再び図７に示すように、回転軸８は、基端部では屋内ベース６０に軸支されており、先端部では屋外ベース７０に軸支されている。ここで、屋内ベース６０は、中間部材４０の屋内側に固定されており、逆に屋外ベース７０は、中間部材４０の屋外側に二本の固定ネジ７６で固定されている（図８参照）。
【００５９】
なお、第一樹脂カバー７３は、再び図４（ｂ）に示すように、リトラクタブル・レバー７１の上腕部７１１および関節部７１０を、中間部材４０の中に戸先側から覆うカバー部材であり、上下二本の固定ネジ７４で中間部材４０に固定されている。そして、リトラクタブル・レバー７１の腕先部７１２は、第一樹脂カバー７３の矩形の開口部を通して突出できるようになっており、リトラクタブル・レバー７１は、この開口部の内周面にガイドされて、滑らかに作動することができるようになっている（図７参照）。
【００６０】
一方、第二樹脂カバー７５は、再び図５〜図７に示すように、屋外操作手段７の要部が露出しないように屋外側から覆うカバー部材であり、上下二本の固定ネジ７２によって、屋外ベース７０の上から固定されている。ここで、第二樹脂カバー７５によって覆われている屋外操作手段７の要部とは、回転軸８の先端部およびレバー固定ネジ８１と、リトラクタブル・レバー７１と、メイン・レバー７２の基端部とである。
【００６１】
（実施例１の効果）
以上のような構成をもつ本実施例のロール網戸２およびその可動框３と、そのロール網戸２を備えた開口部０とは、前述のように作用するので、本実施例によれば以下に述べる六つの効果が発揮される。
【００６２】
第一の効果は、屋外に出ても、屋内からの補助なしに簡単にロール網戸２を全閉することができることである。
【００６３】
すなわち、本実施例の可動框３は、再び図７に示す全閉状態にする際にも、アクセス経路Ｈ１に沿って手を伸ばせば、最後まで操作可能でありながら、手を詰める心配がないリトラクタブル・レバー７１を屋外側に備えている。その結果、可動框３の屋内側に手を回して屋内操作レバー６１を操作できるように、可動框３と障子１６との間に隙間を残しておいたり、その後で障子１６を移動させたりする必要も全くなくなる。したがって、屋外からであっても、リトラクタブル・レバー７１を操作すれば、一動作で可動框３を障子１６の枠に対して密閉することができる。
【００６４】
第二の効果は、屋外に出たときには、屋内側から鍵を掛けられたりしない限り、そのままロックアウトされてしまうような不都合はなくなることである。
【００６５】
なぜならば、同じく図７に示すようにロール網戸２が全閉状態であっても、屋外側から直接にリトラクタブル・レバー７１を操作することができるからである。すなわち、操作者が屋外に出ている間に、屋内に残っている誰かによってロール網戸２が全閉されてしまった場合などにも、操作者はアクセス経路Ｈ１に沿って手を伸ばし、リトラクタブル・レバー７１を操作すれば、屋外からロール網戸２を開けることができる。
【００６６】
第三の効果は、既存の部品を最大限に活用できるので、製品価格の上昇がさほど大きくないうえに、生産工場の設備投資も最小限で済むという効果がある。
【００６７】
すなわち、既存型の比較例１（図３参照）との比較で示したように、既存の屋内操作レバー６１Ａの回転軸６１０Ａを延長すれば、再び図６および図７に示すように、本実施例で使用している屋内操作手段６とその回転軸８とすることができる。そして、屋内操作レバー６１の回転軸８を二つの屋外操作レバー７１，７２と共用しているから、わずかな部品追加と一部の部品を交換することとにより、既存型の可動框３Ａを本実施例の可動框３に改修することができる。それゆえ、既存の生産設備を最大限に生かして本実施例の可動框３を製造することができ、製造工場の設備投資を抑制することができる。
【００６８】
第四の効果は、既存の可動框３Ａを本実施例の可動框３に改修することは前述のようにごく容易であるから、改修用の部品キットと適当な工具を用意しておけば、オンサイトで（つまり建築物開口部のサッシ等に付けたままで）あっても、改修作業が可能であることである。
【００６９】
第五の効果は、屋外操作手段７の両レバー７１，７２うちいずれか一方であっても操作が可能であるばかりではなく、ロール網戸２の開き具合が中間状態にあれば両方７１，７２に手指を掛けて同時に操作することもできるので、操作の自由度が増すことである。さらに、両方７１，７２に手指を掛けて同時に操作することにより、操作者が非力であっても軽く操作ができるというメリットも生じる。
【００７０】
第六の効果は、収容部ケース２０に改修を加えずにロール網戸２を全閉状態にしても、ロール網戸２や可動框３の機能に全く不都合が生じないことである。
【００７１】
すなわち、本実施例の可動框３では、そのままでは戸先側に突出しているリトラクタブル・レバー７１が、再び図１０に示すように、ロール網戸２を全開状態にする際には、収容部ケース２０に当接して可動框３の内部に引っ込む。したがって、収容部ケース２０には、欠損部や凹部などを形成する改修の必要が生じないから、改修を要するのは可動框３の一部だけで、ロール網戸２や開口部０の他の部分に改修の必要が全くない。その結果、本実施例は、前述の機能面で有利であるばかりでなく、改修に要するコスト面でも有利となる。
【００７２】
（実施例１の変形態様１）
ロール網戸ではあまりないことではあるが、もしも戸中央側に何らかの障害物ないし遮蔽物が設けられており、その可動框３の戸中央側の側面がこの障害物に当接してしまっていると、前述の実施例１では不都合が生じることがある。すなわち、実施例１の可動框３では、第二屋外操作レバーとしてのメイン・レバー７２が作動時には戸中央側に突出するようになっているが、このような場合には障害物が邪魔でメイン・レバー７２の操作が難しくなってしまう。
【００７３】
そこで、本実施例の変形態様１として、実施例１の可動框３がもつ第二屋外操作レバーとしてのメイン・レバー７２にも、リトラクタブル・レバー７１とほぼ同様の機能を持つ関節を中間部に設けた構成の実施が可能である。あるいは、メイン・レバー７２の基端部に、回転軸８に対して一方には連れ回りしながら、他方には連れ回りせずに回転可能であって復帰用の付勢トルクを生じる捻りバネが仕込んである関節機構を仕込んだ構成としても良い。
【００７４】
本変形態様によれば、たとえ実施例１の可動框３が戸中央側で障害物に当接する場合にも、リトラクタブル・レバー７１または屋内操作レバー６１に手指を掛けて操作すれば、不都合なく作動するという効果がある。
【図面の簡単な説明】
【００７５】
【図１】実施例１としての「ロール網戸」および「可動框」の外観を示す組図。            （ａ）戸先側から見たロール網戸とその可動框の外観を示す側面図。              （ｂ）屋内側から見たロール網戸とその可動框の外観を示す背面図。
【図２】実施例１の可動框の内部機構およびその作用を示す組図。                        （ａ）室外側から見た非操作時（停止時）の正面透視図。                        （ｂ）室外側から見たレバー操作時（停止手段解除時）の正面透視図。
【図３】既存の比較例１の構成を示す側断面図。
【図４】実施例１の可動框がもつ要部の外見を示す組図。                                （ａ）室外側から見た部分正面図。（ロール網戸を収容した状態で）              （ｂ）戸先側から見た部分側面図。（上図のｂ−ｂ矢視図）
【図５】実施例１の可動框の要部構成をロール網戸収容状態で示す部分正面図。
【図６】実施例１の可動框の要部構成を示す部分側断面図。
【図７】実施例１の可動框が発揮する効果を示す水平断面図。（下から仰ぎ見る）
【図８】実施例１の可動框の屋外操作レバーの作用を停止状態で示す要部正面図。
【図９】実施例１の可動框の屋外操作レバーの作用を解除状態で示す要部正面図。
【図１０】実施例１の可動框の屋外操作レバーの作用を全開状態で示す要部正面図。        （図８〜図１０では第二樹脂カバー７５を省略）
【符号の説明】
【００７６】
０：建築物の窓開口部（「建築物開口部」として）
１：アルミサッシ（サッシとして）
１１，１２：一対のレール（上側レール１１と下側レール１２とが対向）
１３：レール枠材    １４：スライドレール
１５：縦枠    １６：障子（具体的にはガラス戸のこと）
２：「ロール網戸」
２０：収容部（ないし収容部カバー）
２１：遮蔽幕としての網（網体とも称する）    ２１Ｒ：巻き取られた網体
３：「可動框」（実施例１のものとして）
３Ａ：可動框（既存型の比較例１として）
４：本体部材
４０：中間部材    ４１：端部材（上下共通）    ４２：虫除けパッキン
５：停止手段（上下共通）
５１：圧縮バネ    ５２：ストッパ    ５３：シュー
６：屋内操作手段（６２〜６６は上下共通）
６０：室内ベース
６１：屋内操作レバー
６１Ａ：既存型の屋内操作レバー    ６１０Ａ：その回転軸
６１１：捻りバネ（回転軸８に復帰トルクを付勢）
６２：回転ピース    ６３：スライドピース
６４：連結部品    ６５：連動棒
７：屋外操作手段（本発明のオリジナル部分）
７０：屋外ベース
７１：リトラクタブル・レバー（「第一屋外操作レバー」として、
通常時には可動框から戸先側に突出して指掛け可能だが、
ロール網戸を収容した全閉時には可動框内に引っ込む。）
７１０：関節部    ７１１：上腕部    ７１２：腕先部
７１３：関節ピン    ７１４：捻りバネ（腕先部を伸ばす付勢用）
７２：メイン・レバー（「第二屋外操作レバー」として、
作動時には可動框の幅から戸中央側に突出して停止手段を解除）
７３：第一樹脂カバー    ７４：樹脂カバー固定ネジ
７５：第二樹脂カバー    ７６：室外ベース固定ネジ
８：回転軸    ８１：レバー固定ネジ
（屋内操作レバー６１と両屋外操作レバー７１，７２とを連動）
Ｈ１，Ｈ２：屋外側から操作する際に屋外操作レバーに手を伸ばすアクセス経路
【図１】
2007270575.tif 000003
【図２】
2007270575.tif 000004
【図３】
2007270575.tif 000005
【図４】
2007270575.tif 000006
【図５】
2007270575.tif 000007
【図６】
2007270575.tif 000008
【図７】
2007270575.tif 000009
【図８】
2007270575.tif 000010
【図９】
2007270575.tif 000011
【図１０】
2007270575.tif 000012